(57)【特許請求の範囲】
【請求項１】
液体を噴射する液体噴射部を有する液体噴射装置が有する装着部に着脱可能に装着されるメンテナンスユニットであって、
前記液体噴射部のメンテナンスに使用されるメンテナンス部材と、
前記メンテナンス部材を保持する保持部と、
前記保持部を収容する収容部と、
前記メンテナンス部材に関する情報を記憶する記憶媒体と、
を備え、
前記記憶媒体は、前記収容部が前記装着部に装着されたときに該装着部内に位置する前記収容部の側壁に配置されていることを特徴とするメンテナンスユニット。
【請求項２】
前記記憶媒体は、前記メンテナンス部材を使用して行われたメンテナンスの実行回数に対応する値を記憶する
ことを特徴とする請求項１に記載のメンテナンスユニット。
【請求項３】
前記記憶媒体は、前記液体噴射部のメンテナンスに伴う前記メンテナンス部材の移動量に対応する値を記憶する
ことを特徴とする請求項１または請求項２に記載のメンテナンスユニット。
【請求項４】
前記記憶媒体は、前記メンテナンスユニットが装着された前記液体噴射装置に関する情報を記憶する
ことを特徴とする請求項１〜請求項３のうちいずれか一項に記載のメンテナンスユニット。
【請求項５】
前記記憶媒体は、前記メンテナンスユニットが前記液体噴射装置に装着された日に関する情報を記憶する
ことを特徴とする請求項１〜請求項４のうちいずれか一項に記載のメンテナンスユニット。
【請求項６】
前記記憶媒体は、前記メンテナンスユニットの製造日に関する情報を記憶する
ことを特徴とする請求項１〜請求項５のうちいずれか一項に記載のメンテナンスユニット。
【請求項７】
前記記憶媒体は、前記メンテナンスユニットを装着可能な前記液体噴射装置に関する情報を記憶する
ことを特徴とする請求項１〜請求項６のうちいずれか一項に記載のメンテナンスユニット。
【請求項８】
前記記憶媒体は、前記メンテナンス部材に含浸される液体に関する情報を記憶する
ことを特徴とする請求項１〜請求項７のうちいずれか一項に記載のメンテナンスユニット。
【請求項９】
前記液体噴射部のメンテナンスの際に長尺状の前記メンテナンス部材の前記液体噴射部と接触する部分が巻き掛けられる巻掛ローラーを備え、
前記液体噴射装置に装着された状態において、前記記憶媒体は、前記メンテナンス部材の前記部分より下方に位置することを特徴とする請求項１〜請求項８のうちいずれか一項に記載のメンテナンスユニット。
【請求項１０】
前記液体噴射部をキャッピング可能なキャップ部を備え、
前記液体噴射部のメンテナンスの際に前記メンテナンス部材の前記液体噴射部と接触する部分と前記キャップ部とが並ぶ方向において、前記記憶媒体は前記キャップ部から前記部分より離れた位置に位置することを特徴とする請求項１〜請求項９のうちいずれか一項に記載のメンテナンスユニット。
【請求項１１】
液体を噴射する液体噴射部と、
前記液体噴射部のメンテナンスに使用される請求項１〜請求項１０のうちいずれか一項に記載のメンテナンスユニットが着脱可能に装着される前記装着部と、
前記メンテナンスユニットが備える前記記憶媒体が記憶した情報に基づいて、前記液体噴射部のメンテナンス動作を実行させる制御部と、
を備えることを特徴とする液体噴射装置。
【発明の詳細な説明】
【技術分野】
【０００１】
本発明は、液体噴射部のメンテナンスに使用されるメンテナンスユニット及び同メンテナンスユニットが着脱可能に装着されるプリンターなどの液体噴射装置に関する。
【背景技術】
【０００２】
液体噴射装置の一例として、印刷を行うためにインクを噴射する液体噴射ヘッドと、液体噴射ヘッドに付着した液体を払拭するための長尺状のワイピング部材を搭載したワイパーカセットが着脱可能に装着されるワイパーホルダーと、を備えるインクジェット式のプリンターがある。
【０００３】
このワイパーカセットは、ワイピング部材の両端側をそれぞれローラーに巻き付けた状態で収容し、両ローラーを回転させると、ワイピング部材の巻き出し及び巻き取りすることが可能になっている。そして、両ローラーの回転により、両ローラーの間にワイピング部材の未使用の部分を配置して、この未使用の部分で液体噴射ヘッドを払拭している。（例えば、特許文献１）。
【先行技術文献】
【特許文献】
【０００４】
【特許文献１】特開２０１３−１０３３７９号公報
【発明の概要】
【発明が解決しようとする課題】
【０００５】
ところで、上述のようなワイパーカセットにおいては、ワイピング部材を巻き出した結果、未使用の部分がなくなった場合には、それ以上液体噴射ヘッドのメンテナンスを行うことができなくなる。そのため、ワイピング部材の残量を把握しておらず、１回のメンテナンス動作の途中でワイピング部材の未使用の部分がなくなると、そのメンテナンスは完了しないままに終了してしまう、という課題がある。
【０００６】
なお、このような課題は、インクを噴射する液体噴射ヘッドを払拭するワイピング部材に限らず、使用量や使用期限などに限りがあるメンテナンス部材を使用して液体噴射部のメンテナンスを行う場合には、概ね共通したものとなっている。
【０００７】
本発明は、こうした実情に鑑みてなされたものであり、その目的は、液体噴射部のメンテナンスに使用されるメンテナンス部材の管理を適切に行うことができるメンテナンスユニット及び液体噴射装置を提供することにある。
【課題を解決するための手段】
【０００８】
以下、上記課題を解決するための手段及びその作用効果について記載する。
上記課題を解決するメンテナンスユニットは、液体を噴射する液体噴射部を有する液体噴射装置に着脱可能に装着されるメンテナンスユニットであって、前記液体噴射部のメンテナンスに使用される長尺状のメンテナンス部材と、前記メンテナンス部材に関する情報を記憶する記憶媒体と、を備える。
【０００９】
この構成によれば、メンテナンスユニットが備える記憶媒体がメンテナンス部材に関する情報を記憶するため、記憶媒体が記憶する情報に基づいて、液体噴射部のメンテナンスに使用されるメンテナンス部材の管理を適切に行うことができる。
【００１０】
上記メンテナンスユニットにおいて、前記記憶媒体は、前記メンテナンス部材を使用して行われたメンテナンスの実行回数に対応する値を記憶する。
この構成によれば、記憶媒体が記憶するメンテナンスの実行回数に対応する値に基づいてメンテナンス部材の使用量を把握することにより、メンテナンス部材の残量を管理しつつ、液体噴射部のメンテナンスを適切に実行することができる。
【００１１】
上記メンテナンスユニットにおいて、前記記憶媒体は、前記液体噴射部のメンテナンスに伴う前記メンテナンス部材の移動量に対応する値を記憶する。
この構成によれば、記憶媒体が記憶するメンテナンス部材の移動量に対応する値に基づいてメンテナンス部材の使用量を把握することにより、例えばメンテナンスユニットが使用の途中で異なる液体噴射装置に装着されなおしたとしても、メンテナンス部材の使用量を積算して、メンテナンス部材の残量を正確に管理することができる。
【００１２】
上記メンテナンスユニットにおいて、前記記憶媒体は、前記メンテナンスユニットが装着された前記液体噴射装置に関する情報を記憶する。
この構成によれば、メンテナンスユニットが装着された液体噴射装置に関する情報を記憶媒体が記憶することにより、例えばメンテナンスユニットが使用の途中で異なる液体噴射装置に装着されなおしたとしても、メンテナンスユニットが装着されたことのある液体噴射装置を把握することができる。
【００１３】
上記メンテナンスユニットにおいて、前記記憶媒体は、前記メンテナンスユニットが前記液体噴射装置に装着された日に関する情報を記憶する。
この構成によれば、メンテナンスユニットが液体噴射装置に装着された日に関する情報を記憶媒体が記憶することにより、メンテナンス部材に使用期限がある場合などに、その使用期限を管理しつつ、液体噴射部のメンテナンスを適切に実行することができる。
【００１４】
上記メンテナンスユニットにおいて、前記記憶媒体は、前記メンテナンスユニットの製造日に関する情報を記憶する。
この構成によれば、メンテナンスユニットの製造日に関する情報を記憶媒体が記憶することにより、メンテナンス部材に使用期限がある場合などに、その使用期限を管理しつつ、液体噴射部のメンテナンスを適切に実行することができる。
【００１５】
上記メンテナンスユニットにおいて、前記記憶媒体は、前記メンテナンスユニットを装着可能な前記液体噴射装置に関する情報を記憶する。
この構成によれば、ある液体噴射部に対して使用することが適切なメンテナンス部材と不適切なメンテナンス部材とがある場合などに、記憶媒体が記憶したメンテナンスユニットを装着可能な液体噴射装置に関する情報を参照することにより、不適切なメンテナンス部材による液体噴射部のメンテナンスの実行を回避することができる。
【００１６】
上記メンテナンスユニットにおいて、前記記憶媒体は、前記メンテナンス部材に含浸される液体に関する情報を記憶する。
この構成によれば、ある液体噴射部に対して使用することが適切な含浸液と不適切な含浸液とがある場合などに、記憶媒体が記憶したメンテナンス部材に含浸される液体に関する情報を参照することにより、不適切な液体が含浸されたメンテナンス部材による液体噴射部のメンテナンスの実行を回避することができる。
【００１７】
上記課題を解決する液体噴射装置は、液体を噴射する液体噴射部と、前記液体噴射部のメンテナンスに使用される上記メンテナンスユニットが着脱可能に装着される装着部と、前記メンテナンスユニットが備える前記記憶媒体が記憶した情報に基づいて、前記液体噴射部のメンテナンス動作を実行させる制御部と、を備える。
【００１８】
この構成によれば、上記メンテナンスユニットと同様の作用効果を得ることができる。
【図面の簡単な説明】
【００１９】
【図１】液体噴射装置の一実施形態を模式的に示す斜視図。
【図２】メンテナンスユニットの一実施形態を模式的に示す断面図。
【図３】装着部に装着されるメンテナンスユニットを一方向から見た斜視図。
【図４】装着部に装着されるメンテナンスユニットを他方向から見た斜視図。
【図５】メンテナンスユニット及び装着部の変更例を示す断面図。
【発明を実施するための形態】
【００２０】
以下、メンテナンスユニット及び液体噴射装置の実施形態について、図を参照して説明する。液体噴射装置は、例えば、用紙などの媒体に液体の一例であるインクを噴射することによって記録（印刷）を行うインクジェット式のプリンターである。
【００２１】
図１に示すように、液体噴射装置１１は、筐体部１２と、筐体部１２内において媒体Ｓを支持する媒体支持部１３と、媒体支持部１３に支持された媒体Ｓに対して液体を噴射可能なノズル１４（図２参照）を有する液体噴射部１５と、液体噴射部１５のメンテナンスを行うためのメンテナンス装置１６とを備えている。また、筐体部１２の外面側には、例えば液晶モニター等からなる表示部５５が設けられる。
【００２２】
また、液体噴射装置１１は、筐体部１２内において任意の位置に配置され、液体噴射部１５及びメンテナンス装置１６の制御を行う制御部２０を備える。液体噴射部１５は、制御部２０の制御により、媒体支持部１３上において搬送方向Ｙに搬送される媒体Ｓに対してノズル１４から液体を噴射方向Ｚに噴射することによって記録（印刷）を行う。
【００２３】
液体噴射部１５は、移動方向Ｘに延びるガイド部１７に沿って往復移動するキャリッジ１８に保持されている。キャリッジ１８には、液体噴射部１５に向けて供給される液体を収容する１または複数の液体収容体１９が着脱可能に装着される。移動方向Ｘ、搬送方向Ｙ及び噴射方向Ｚは互いに交差（好ましくは、直交）する方向である。本実施形態において、噴射方向Ｚは水平方向と交差する方向であるので、噴射方向Ｚを下方向、その反対方向を上方向ということがある。
【００２４】
筐体部１２内において、媒体支持部１３が配置された領域を噴射領域といい、メンテナンス装置１６が配置された位置をメンテナンス領域という。メンテナンス領域は噴射領域と移動方向Ｘに並ぶ位置であって、噴射領域の外側（図１では右側）に配置される。本実施形態において、移動方向Ｘはメンテナンス領域から噴射領域に向かう方向である。
【００２５】
次に、メンテナンス装置１６の構成について詳述する。
図２に示すように、本実施形態のメンテナンス装置１６は、メンテナンス動作として、長尺状のメンテナンス部材２１を使用して液体噴射部１５においてノズル１４が開口する開口面１５ａを払拭するワイピングを行うものである。液体噴射部１５のメンテナンスに使用されるメンテナンス部材２１は、例えば不織布等からなる液体を吸収可能な吸収部材であり、予めメンテナンスのための液体が含浸されていることが好ましい。また、液体噴射部１５の開口面１５ａには、液体の付着や固着を抑制するための撥水膜を設けることが好ましい。
【００２６】
吸収部材に含浸される含浸液は、液体噴射部１５が噴射する液体の種類に応じて、その拭き取り性を向上または維持することを目的として選択したものが用いられる。ここで、液体噴射部１５が噴射する液体としては、例えば水を主成分とする溶媒に着色剤を加えた水系インクの他、有機溶剤からなる溶媒に着色剤を加えた有機溶剤系インク（非水系インクともいう。）などがある。また、インクの種類としては、着色剤として水溶性の染料を用いた染料インクや、着色剤として顔料を用いた顔料インクがある。さらに、媒体Ｓに着弾したインクの溶媒を気化させてその着色剤を媒体に定着させるインクや、ＵＶなどの光線を照射してインクを定着させるインクなどがある。
【００２７】
例えば液体噴射部１５が噴射する液体が顔料インクである場合には、顔料粒子を吸収部材に吸収されやすくするための浸透剤や、含浸液の蒸発を抑制するための保湿剤を含むことが好ましい。この場合、吸収部材に含浸液が含まれていることにより、顔料粒子が吸収部材の表面から内部に移動しやすくなり、吸収部材の表面に顔料粒子が残りにくくなる。
【００２８】
こうした含浸液は、無機顔料粒子を吸収部材表面から内部へ移動させることができる液であれば、その種類は特に限定されない。ただし、含浸液の表面張力は４５ｍＮ／ｍ以下であることが好ましく、３５ｍＮ／ｍ以下であることがより好ましい。表面張力が低いと吸収部材への無機顔料の浸透性が良好になり、拭き取り性が向上するためである。表面張力の測定方法としては、一般的に用いられる表面張力計（例えば、協和界面科学（株）製、表面張力計ＣＢＶＰ−Ｚ等）を用いて、ウィルヘルミー法で液温２５℃にて測定する方法が例示できる。
【００２９】
含浸液の含有量は、吸収部材１００質量％に対して、１０質量％以上２００質量％以下であることが好ましく、１０質量％〜１２０質量％以下であることがより好ましく、３０質量％〜１００質量％がさらに好ましい。含浸液の含有量を、吸収部材１００質量％に対して１０質量％以上にすることにより、無機顔料インクを吸収部材の内側へ浸透させやすくすることができ、その結果、硬度の高い無機顔料によって開口面１５ａに設けられた撥水膜に傷を付けることを抑制することができる。また、含浸液の含有量を、吸収部材１００質量％に対して２００質量％以下にすることにより、開口面１５ａにおける含浸液の残存をより抑制して、気泡が含浸液と共にノズル１４に浸入することに起因するドット抜けや、含浸液自体がノズル１４に浸入することに起因するドット抜けをより抑制できる。
【００３０】
そのほか、含浸液に含まれ得る添加剤（成分）の例として、樹脂、消泡剤、界面活性剤、水、有機溶剤、及びｐＨ調製剤等が挙げられる。これら各成分は、１種のみ添加してもよいし、２種以上を併用して添加してもよく、さらにそれらの含有量は任意に変更することができる。
【００３１】
なお、含浸液に添加剤として消泡剤を添加すると、ワイピングの後に開口面１５ａに残った含浸液が泡立つことを効果的に抑制することができる。また、含浸液はポリエチレングリコールやグリセリン等の酸性の保湿剤を多量に含む場合があるが、その場合に含浸液が添加剤としてｐＨ調整剤を含むと、酸性の含浸液がインク組成物（通常、ｐＨ７．５以上の塩基性）に接触することが回避できる。これにより、インク組成物が酸性側にシフトすることを抑制できるので、インク組成物の保存安定性がより保たれる。
【００３２】
また、含浸液に含まれ得る保湿剤としては、一般にインク等に使用可能なものであれば特に制限されることなく使用できる。例えば、保湿剤としては、１気圧下相当での沸点が、好ましくは１８０℃以上、より好ましくは２００℃以上の高沸点保湿剤を用いることができる。保湿剤の沸点が上記範囲内であると、含浸液中の揮発成分が揮発することを抑制できるので、含浸液と接触する無機顔料含有インク組成物を確実に湿潤させて効果的に払拭を行うことができる。
【００３３】
高沸点保湿剤の例としては、エチレングリコール、プロピレングリコール、ジエチレングリコール、トリエチレングリコール、ペンタメチレングリコール、トリメチレングリコール、２−ブテン−１，４−ジオール、２−エチル−１，３−ヘキサンジオール、２−メチル−２，４−ペンタンジオール、トリプロピレングリコール、ポリエチレングリコール、ポリプロピレングリコール、１，３−プロピレングリコール、イソプロピレングリコール、イソブチレングリコール、グリセリン、メソエリスリトール、及びペンタエリスリトール等が挙げられる。
【００３４】
保湿剤は、１種のみを単独で用いてもよいし、２種以上を混合して用いてもよい。保湿剤の含有量は、含浸液の総質量（１００質量％）に対して、１０〜１００質量％が好ましい。なお、保湿剤の含有量が含浸液の総質量に対して１００質量％とは、含浸液の全成分が保湿剤であることを示す。
【００３５】
含浸液に含まれ得る添加剤のうち浸透剤について説明する。浸透剤としては、一般にインク等に使用可能なものであれば特に制限されることなく使用できるが、水９０質量％、浸透剤１０質量％の溶液において、該溶液の表面張力が４５ｍＮ／ｍ以下となるものを浸透剤として採用することもできる。浸透剤としては、特に限定されないが、例えば、炭素数５〜８のアルカンジオール類、グリコールエーテル類、アセチレングリコール系界面活性剤、シロキサン系界面活性剤、及びフッ素系界面活性剤からなる群より選択される一種以上が挙げられる。また、表面張力の測定は上記した方法で行なうことができる。
【００３６】
また、含浸液中の浸透剤の含有量は、１質量％以上４０質量％以下であることが好ましく、３質量％以上２５質量％以下であることがより好ましい。なお、含浸液中の浸透剤の含有量が１質量％以上であることにより、拭き取り性により優れる傾向にあり、また、４０質量％以下であることにより、浸透剤がノズル近傍のインクに含まれる顔料にアタックをし、分散安定性が壊れ凝集を起こすことを回避できる。
【００３７】
炭素数５〜８のアルカンジオール類としては、特に限定されないが、例えば、１，２−ペンタンジオール、１，５−ペンタンジオール、１，２−ヘキサンジオール、１，６−ヘキサンジオール、１，２−ヘプタンジオール、２−エチル−１，３−ヘキサンジオール、２，２−ジメチル−１，３−プロパンジオール、２，２−ジメチル−１，３−ヘキサンジオール等が挙げられる。炭素数５〜８のアルカンジオール類は、１種単独で用いてもよいし、２種以上を併用してもよい。
【００３８】
グリコールエーテル類としては、特に限定されないが、例えば、エチレングリコールモノ−ｎ−ブチルエーテル、エチレングリコールモノ−ｔ−ブチルエーテル、ジエチレングリコールモノ−ｎ−ブチルエーテル、トリエチレングリコールモノ−ｎ−ブチルエーテル、ジエチレングリコールモノ−ｔ−ブチルエーテル、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−ｉｓｏ−プロピルエーテル、プロピレングリコールモノ−ｎ−ブチルエーテル、ジプロピレングリコールモノ−ｎ−ブチルエーテル、ジプロピレングリコールモノ−ｎ−プロピルエーテル、ジプロピレングリコールモノ−ｉｓｏ−プロピルエーテル、ジエチレングリコールジメチルエーテル、ジエチレングリコールジエチルエーテル、ジエチレングリコールジブチルエーテル、ジエチレングリコールエチルメチルエーテル、ジエチレングリコールブチルメチルエーテル、トリエチレングリコールジメチルエーテル、テトラエチレングリコールジメチルエーテル、ジプロピレングリコールジメチルエーテル、ジプロピレングリコールジエチルエーテル、トリプロピレングリコールジメチルエーテル、エチレングリコールモノイソヘキシルエーテル、ジエチレングリコールモノイソヘキシルエーテル、トリエチレングリコールモノイソヘキシルエーテル、エチレングリコールモノイソヘプチルエーテル、ジエチレングリコールモノイソヘプチルエーテル、トリエチレングリコールモノイソヘプチルエーテル、エチレングリコールモノイソオクチルエーテル、ジエチレングリコールモノイソオクチルエーテル、トリエチレングリコールモノイソオクチルエーテル、エチレングリコールモノ−２−エチルヘキシルエーテル、ジエチレングリコールモノ−２−エチルヘキシルエーテル、トリエチレングリコールモノ−２−エチルヘキシルエーテル、ジエチレングリコールモノ−２−エチルペンチルエーテル、エチレングリコールモノ−２−エチルペンチルエーテル、エチレングリコールモノ−２−メチルペンチルエーテル、ジエチレングリコールモノ−２−メチルペンチルエーテル等が挙げられる。グリコールエーテル類は、１種単独で用いてもよいし、２種以上を併用してもよい。
【００３９】
アセチレングリコール系界面活性剤としては、特に限定されないが、例えば、下記式で表される化合物等が挙げられる。
【００４０】
【化１】
0006439390.tif 000002
［式（１）中、０≦ｍ＋ｎ≦５０、Ｒ１＊、Ｒ２＊、Ｒ３＊、及びＲ４＊は各々独立してアルキル基（好ましくは炭素数１〜６のアルキル基）を表す。］
式（１）で表されるアセチレングリコール系界面活性剤の中でも、好ましくは２，４，７，９−テトラメチル−５−デシン−４，７−ジオール、３，６−ジメチル−４−オクチン−３，６−ジオール、３，５−ジメチル−１−ヘキシン−３オール等が挙げられる。式（１）で表されるアセチレングリコール系界面活性剤として市販品を利用することも可能であり、その具体例としてはサーフィノール８２、１０４、４４０、４６５、４８５、又はＴＧ（いずれもＡｉｒＰｒｏｄｕｃｔｓ ａｎｄ Ｃｈｅｍｉｃａｌｓ．Ｉｎｃ．より入手可能）、オルフィンＳＴＧ、オルフィンＥ１０１０（商品名）（以上、日信化学社製）等が挙げられる。アセチレングリコール系界面活性剤は、一種単独で用いても又は二種以上を併用してもよい。
【００４１】
シロキサン系界面活性剤としては、特に限定されないが、例えば、下記式（２）又は（３）で表されるもの等が挙げられる。
【００４２】
【化２】
0006439390.tif 000003
［式（２）中、Ｒ１、Ｒ２、Ｒ３、Ｒ４、Ｒ５、Ｒ６、及びＲ７は、各々独立して、炭素数が１〜６のアルキル基、好ましくはメチル基を表す。ｊ及びｋは、各々独立して１以上の整数を表すが、好ましくは１〜５、より好ましくは１〜４、さらに好ましくは１又は２であり、ｊ＝ｋ＝１若しくはｋ＝ｊ＋１を満足することが好ましい。また、ｇは０以上の整数を表し、好ましくは１〜３であり、より好ましくは１である。さらに、ｐ及びｑはそれぞれ０以上の整数を表し、好ましくは１〜５を表す。但しｐ＋ｑは１以上の整数であり、好ましくはｐ＋ｑは２〜４である。］
式（２）で表されるシロキサン系界面活性剤としては、Ｒ１〜Ｒ７がすべてメチル基を表し、ｊが１〜２を表し、ｋが１〜２を表し、ｇが１〜２を表し、ｐが１以上５以下の整数を表し、ｑが０である化合物が好ましい。
【００４３】
【化３】
0006439390.tif 000004
［式（３）中、Ｒは水素原子又はメチル基を表し、ａは２〜１８の整数を表し、ｍは０〜５０の整数を表し、ｎは１〜５の整数を表す。］
式（３）で表されるシロキサン系界面活性剤としては、特に限定されないが、例えば、Ｒが水素原子又はメチル基を表し、ａが７〜１１の整数を表し、ｍが３０〜５０の整数を表し、ｎが３〜５の整数を表す化合物、Ｒが水素原子又はメチル基を表し、ａが９〜１３の整数を表し、ｍが２〜４の整数を表し、ｎが１〜２の整数である化合物、Ｒが水素原子又はメチル基を表し、ａが６〜１８の整数を表し、ｍが０の整数を表し、ｎが１の整数である化合物、Ｒが水素原子を表し、ａが２〜５の整数を表し、ｍが２０〜４０の整数を表し、ｎが３〜５の整数である化合物等が好ましい。
【００４４】
シロキサン系界面活性剤は商業的に入手可能で、市販されているものを用いてもよく、例えば、オルフィンＰＤ−５０１（日信化学工業株式会社製）、オルフィンＰＤ−５７０（日信化学工業株式会社製）、ＢＹＫ−３４７（ビックケミー株式会社製）、ＢＹＫ−３４８（ビックケミー株式会社製）等を用いることができる。上記シロキサン系界面活性剤は、一種単独で用いても又は二種以上を併用してもよい。
【００４５】
フッ素系界面活性剤は、ＷＯ２０１０／０５０６１８及びＷＯ２０１１／００７８８８に開示されている通り、低吸収性、非吸収性の記録媒体に対して良好な濡れ性を奏する溶剤として知られている。フッ素系界面活性剤としては、特に限定されないが、目的に応じて適宜選択することができ、例えばパーフルオロアルキルスルホン酸塩、パーフルオロアルキルカルボン酸塩、パーフルオロアルキルリン酸エステル、パーフルオロアルキルエチレンオキサイド付加物、パーフルオロアルキルベタイン、パーフルオロアルキルアミンオキサイド化合物等が挙げられる。
【００４６】
上記以外にもフッ素系界面活性剤として、適宜合成したものを使用してもよいし、市販品を使用してもよい。市販品としては、例えばＳ・１４４、Ｓ・１４５（旭硝子株式会社製）；ＦＣ・１７０Ｃ、ＦＣ・４３０、フロラード・ＦＣ４４３０（住友スリーエム株式会社製）；ＦＳＯ、ＦＳＯ・１００、ＦＳＮ、ＦＳＮ・１００、ＦＳ・３００（Ｄｕｐｏｎｔ社製）；ＦＴ・２５０、２５１（株式会社ネオス製）等が挙げられる。これらの中でも、Ｄｕｐｏｎｔ社製のＦＳＯ、ＦＳＯ・１００、ＦＳＮ、ＦＳＮ・１００、ＦＳ・３００が好ましい。フッ素系界面活性剤は、一種単独で用いてもよいし、二種以上を併用してもよい。
【００４７】
また、液体噴射部１５が噴射する液体が非水系インクである溶剤系インクである場合、吸収部材に含浸される含浸液は、例えば、下記一般式（Ｉ）で表される化合物、エステル類、及び二塩基酸エステル類からなる群より選択される少なくとも一種の有機溶剤（以下、「特定の有機溶剤」ともいう。）を含有することが好ましい。これらの特定の有機溶剤は、一種単独で用いてもよいし、２種以上を併用してもよい。
【００４８】
特定の有機溶剤は、開口面１５ａに付着した非水系インクを溶解（軟化）させる作用に優れるので、非水系インクに含まれる成分が凝集してしまうことを抑制することにより、開口面１５ａの払拭効率が向上する。
【００４９】
Ｒ１−Ｏ−（Ｒ２−Ｏ）ｎ−Ｒ３      ・・・（Ｉ）
上記一般式（Ｉ）において、Ｒ１は、水素原子、アリール基または炭素数１以上６以下のアルキル基を表し、Ｒ２は、炭素数２以上４以下のアルキレン基を表し、Ｒ３は、アリール基または炭素数１以上６以下のアルキル基を表し、ｎは、１以上９以下の整数を表す。「アリール基」としては、例えば、フェニル基、ベンジル基、トリル基、キシリル基、ナフチル基、メチルナフチル基、ベンジルフェニル基、ビフェニル基等が挙げられる。また、「炭素数１以上６以下のアルキル基」としては、直鎖状または分岐状のアルキル基であることができ、例えば、メチル基、エチル基、ｎ−プロピル基、ｉｓｏ−プロピル基、ｎ−ブチル基、ｓｅｃ−ブチル基、ｔｅｒｔ−ブチル、ペンチル基またはヘキシル基等が挙げられる。「炭素数２以上４以下のアルキレン基」としては、例えば、エチレン基、ｎ−プロピレン基、イソプロピレン基、またはブチレン基等が挙げられる。
【００５０】
上記一般式（Ｉ）中、Ｒ１は、水素原子または炭素数２以上４以下のアルキル基であることが好ましい。また、上記一般式（Ｉ）中、Ｒ３は、炭素数２以上４以下のアルキル基であることが好ましい。これにより、非水系インクを溶解（軟化）させる作用が向上して、払拭効率が一層良好となる。
【００５１】
上記一般式（Ｉ）中、ｎは、３以上６以下の整数であることが好ましい。これにより、非水系インクを溶解（軟化）させる作用が向上して、払拭効率が一層良好となる。
上記一般式（Ｉ）で表される化合物の具体例としては、アルキレングリコールモノエーテルや、アルキレングリコールジエーテル等のグリコールエーテル類が挙げられる。グリコールエーテル類は、１種単独か又は２種以上を混合して使用することができる。
【００５２】
アルキレングリコールモノエーテルとしては、例えば、エチレングリコールモノメチルエーテル、エチレングリコールモノエチルエーテル、エチレングリコールモノイソプロピルエーテル、エチレングリコールモノブチルエーテル、エチレングリコールモノヘキシルエーテル、エチレングリコールモノフェニルエーテル、ジエチレングリコールモノメチルエーテル、ジエチレングリコールモノエチルエーテル、ジエチレングリコールモノブチルエーテル、ジエチレングリコールモノヘキシルエーテル、ジエチレングリコールモノベンジルエーテル、トリエチエレングリコールモノメチルエーテル、トリエチレングリコールモノエチルエーテル、トリエチレングリコールモノブチルエーテル、テトラエチレングリコールモノメチルエーテル、テトラエチレングリコールモノエチルエーテル、テトラエチレングリコールモノブチルエーテル、ペンタエチレングリコールモノメチルエーテル、ペンタエチレングリコールモノエチルエーテル、ペンタエチレングリコールモノブチルエーテル、プロピレングリコールモノメチルエーテル、プロピレングリコールモノエチルエーテル、ジプロピレングリコールモノメチルエーテル、ジプロピレングリコールモノエチルエーテル等が挙げられる。
【００５３】
アルキレングリコールジエーテルとしては、例えば、エチレングリコールジメチルエーテル、エチレングリコールジエチルエーテル、エチレングリコールジブチルエーテル、ジエチレングリコールジメチルエーテル、ジエチレングリコールジエチルエーテル、ジエチレングリコールエチルメチルエーテル、ジエチレングリコールジブチルエーテル、ジエチレングリコールブチルメチルエーテル、トリエチレングリコールジメチルエーテル、トリエチレングリコールジエチルエーテル、トリエチレングリコールジブチルエーテル、トリエチレングリコールブチルメチルエーテル、テトラエチレングリコールジメチルエーテル、テトラエチレングリコールジエチルエーテル、テトラエチレングリコールジブチルエーテル、プロピレングリコールジメチルエーテル、プロピレングリコールジエチルエーテル、ジプロピレングリコールジメチルエーテル、ジプロピレングリコールジエチルエーテル等が挙げられる。
【００５４】
エステル類（Ｒ−ＣＯ−ＯＲ’）としては、例えば、Ｒが、水素原子、アルキル基、アリール基またはグリコールエーテル基であり、Ｒ’がアルキル基、アリール基である有機溶剤が挙げられる。このようなエステル類としては、グリコールエーテルエステル類を用いることが好ましく、例えば、エチレングリコールモノメチルエーテルアセテート、エチレングリコールモノエチルエーテルアセテート、エチレングリコールモノプロピルエーテルアセテート、エチレングリコールモノブチルエーテルアセテート、プロピレングリコールモノメチルエーテルアセテート、プロピレングリコールモノエチルエーテルアセテート、プロピレングリコールモノプロピルエーテルアセテート、プロピレングリコールモノブチルエーテルアセテート、ジメチレングリコールモノメチルエーテルアセテート、ジメチレングリコールモノエチルエーテルアセテート、ジメチレングリコールモノプロピルエーテルアセテート、ジメチレングリコールモノブチルエーテルアセテート、ジエチレングリコールモノメチルエーテルアセテート、ジエチレングリコールモノエチルエーテルアセテート、ジエチレングリコールモノプロピルエーテルアセテート、ジエチレングリコールモノブチルエーテルアセテート、ジプロピレングリコールモノメチルエーテルアセテート、ジプロピレングリコールモノエチルエーテルアセテート、ジプロピレングリコールモノプロピルエーテルアセテート、ジプロピレングリコールモノブチルエーテルアセテート、トリメチレングリコールモノメチルエーテルアセテート、トリメチレングリコールモノエチルエーテルアセテート、トリメチレングリコールモノプロピルエーテルアセテート、トリメチレングリコールモノブチルエーテルアセテート、トリエチレングリコールモノメチルエーテルアセテート、トリエチレングリコールモノエチルエーテルアセテート、トリエチレングリコールモノプロピルエーテルアセテート、トリエチレングリコールモノブチルエーテルアセテート、トリプロピレングリコールモノメチルエーテルアセテート、トリプロピレングリコールモノエチルエーテルアセテート、トリプロピレングリコールモノプロピルエーテルアセテート、トリプロピレングリコールモノブチルエーテルアセテート、３−メトキシブチルアセテート、３−メトキシ−３−メチル−１−ブチルアセテートなどが挙げられる。
【００５５】
二塩基酸エステル類としては、ジカルボン酸（例えば、グルタル酸、アジピン酸、コハク酸等の脂肪族ジカルボン酸）のモノエステル、ジエステル等が挙げられる。具体的には、ジメチル−２−メチルグルタレート等が挙げられる。
【００５６】
上記の特定の有機溶剤の中でも、非水系インクを溶解（軟化）させる作用に優れているという点から、上記一般式（Ｉ）で表される化合物を用いることが好ましい。
上記の特定の有機溶剤には、標準沸点が１７０℃以上であるものを用いることが好ましく、標準沸点が２５０℃以上であるものを用いることがより好ましい。これにより、含浸液の乾燥に伴うノズル１４の詰まりの発生を低減できるので、非水系インクの吐出安定性が良好となる。
【００５７】
上記の特定の有機溶剤には、２０℃における蒸気圧が１ｈＰａ以下であるものを用いることが好ましく、０．５ｈＰａ以下であるものを用いることがより好ましく、０．１ｈＰａ以下であるものを用いることがより一層好ましく、０．０１ｈＰａ以下であるものを用いることが特に好ましい。これにより、含浸液の乾燥に伴うノズル１４の詰まりの発生を低減できるので、非水系インクの吐出安定性が良好となる。
【００５８】
また、上記の特定の有機溶剤としては、２０℃における表面張力が２５ｍＮ／ｍ以上３５ｍＮ／ｍ以下であるものを用いることが好ましい。これにより、後述する非水系インクとの相溶性が向上するので、払拭効率が一層向上する傾向にある。なお、表面張力の測定は、自動表面張力計ＣＢＶＰ−Ｚ（協和界面科学社製）を用いて、２０℃の環境下で白金プレートを有機溶剤で濡らしたときの表面張力を確認することにより測定することができる。
【００５９】
特定の有機溶剤の含有量は、含浸液の全質量（１００質量％）に対して、その下限値が３０質量％以上であることが好ましく、５０質量％以上であることがより好ましい。特定の有機溶剤の含有量が５０質量％以上であることで、開口面１５ａの払拭効率が一層向上する。特定の有機溶剤の含浸液に対する含有量の上限は限られるものではなく１００質量％でもよい。
【００６０】
含浸液を保持させた吸収部材を用いてワイピングを行う場合には、吸収部材に含浸させた含浸液には、同吸収部材の質量１００質量部に対して、１０質量部以上の特定の有機溶剤が含まれていることが好ましく、１５質量部以上であることがより好ましく、２０質量部以上であることがより一層好ましく、４０質量部以上であることがさらに好ましく、５０質量部以上であることが特に好ましい。その上限値は、１５０質量部以下であることが好ましく、１００質量部以下であることがより好ましい。１０質量部以上であることで、開口面１５ａで固化したインクが溶解（軟化）しやすくなるので、払拭効率が一層向上する。１５０質量部以下であることで、吸収部材にインクが吸収されやすくなるので、インクの拭き残りによるノズル１４の吐出異常や不吐出が生じにくくなり、インクの吐出安定性が良好となる。
【００６１】
また、液体噴射部１５が噴射する液体が溶剤系インクで有る場合に吸収部材に含浸される含浸液は、上記の特定の有機溶剤以外の有機溶剤を含有してもよいし、さらに、界面活性剤、ｐＨ調整剤、キレート化剤、防腐剤、防かび剤及び防錆剤など、所定の性能を付与するための物質を含有してもよい。
【００６２】
図１に示すように、メンテナンス装置１６は、メンテナンス部材２１を有するメンテナンスユニット２２が着脱自在に装着される箱体状の装着部２３と、装着部２３をガイドフレーム２４に沿って移動方向Ｘに往復移動させる駆動機構２５と、を備える。
【００６３】
図２に示すように、メンテナンスユニット２２は、収容部２６内においてメンテナンス部材２１を移動可能な状態で保持する保持部２７と、保持部２７を収容する収容部２６と、メンテナンス部材２１に関する情報を記憶する記憶媒体２８と、を備える。メンテナンスユニット２２は、装着部２３に装着された状態において、噴射方向Ｚにおいて液体噴射部１５側となる収容部２６の天面２６ｔが露出する。
【００６４】
装着部２３内には、装着部２３に装着されたメンテナンスユニット２２の記憶媒体２８の接続部に接触可能な位置に、板ばね等からなる接続端子３８が配置されている。接続端子３８は制御部２０（図１参照）と電気的に接続されている。そして、接続端子３８が装着部２３に装着されたメンテナンスユニット２２の記憶媒体２８の接続部と接触した場合には、制御部２０が接続端子３８を介して記憶媒体２８が記憶する情報を読み出したり、記憶媒体２８に情報を書き込んだりする。
【００６５】
収容部２６の天面２６ｔには開口部２９が設けられ、この開口部２９を通じてメンテナンス部材２１の一部が露出する。以降の説明において、この開口部２９から露出したメンテナンス部材２１の部分を払拭部３１という。
【００６６】
保持部２７は、メンテナンス部材２１の基端側部分が巻かれた繰出ローラー３２と、繰出ローラー３２の回転に伴って巻き出されるメンテナンス部材２１の先端側部分を巻き取る巻取ローラー３３と、繰出ローラー３２と巻取ローラー３３の間に位置するメンテナンス部材２１が巻き掛けられる複数の巻掛ローラー３４，３５，３６，３７と、を備える。巻掛ローラー３４，３５，３６，３７は、繰出ローラー３２と巻取ローラー３３の間に位置するメンテナンス部材２１に張力を付与するとともに、その帳設方向を変更するものであり、その数や配置は任意に変更することができる。
【００６７】
巻掛ローラー３４，３５，３６，３７のうちの１つである巻掛ローラー３６は、収容部２６の開口部２９からその周面の一部が突出するように配置される。そのため、メンテナンス部材２１において巻掛ローラー３６に巻き掛けられた部分が払拭部３１となる。そして、繰出ローラー３２及び巻取ローラー３３の回転に伴ってメンテナンス部材２１が移動することにより、開口部２９に配置される払拭部３１が順次未使用の部分に変更される。
【００６８】
また、繰出ローラー３２及び巻取ローラー３３の回転に伴ってメンテナンス部材２１が移動する結果、メンテナンス部材２１がそれ以上巻き出せなくなった場合には、そのメンテナンスユニット２２は使用により消費されたものとして、新しいものに交換される。すなわち、使用済みのメンテナンスユニット２２が装着部２３から取り外され、別の使用済みでないメンテナンスユニット２２が装着部２３に装着される。
【００６９】
図３及び図４に示すように、メンテナンスユニット２２において収容部２６は移動方向Ｘが長手方向となり、払拭部３１及び開口部２９は、収容部２６の長手方向における中央付近に、搬送方向Ｙが長手方向となるように配置される。
【００７０】
本実施形態において、収容部２６において開口部２９よりも長手方向の一端側（天面２６ｔに三角マークのある側）を先端側、開口部２９よりも長手方向の他端側（天面２６ｔが湾曲面になっている側）を基端側という。また、収容部２６において天面２６ｔと交差する先端の面を先端面２６ｆ、天面２６ｔと交差する基端の面を基端面２６ｒといい、さらに天面２６ｔ、先端面２６ｆ及び基端面２６ｒと交差する面を側面２６ｓという。
【００７１】
一方、装着部２３において、メンテナンスユニット２２を装着した場合に先端面２６ｆと対向する壁部を前壁２３ｆ、基端面２６ｒと対向する壁部を後壁２３ｒ、側面２６ｓと対向する壁部を側壁２３ｓという。
【００７２】
収容部２６の基端面２６ｒにおける下方寄りの位置には、上端側が収容部２６に対する固定端となる一方で下端側が自由端となる弾性片部４１が設けられる。弾性片部４１は、上端側の固定端を支点として移動方向Ｘに弾性変形可能である。そして、弾性片部４１において自由端となる下端には係止爪４２が外方に向けて突設される。
【００７３】
一方、装着部２３の後壁２３ｒにおける下方寄りの位置には、弾性片部４１の係止爪４２が係合可能な掛止孔５２が形成される。そして、メンテナンスユニット２２を装着部２３に対して装着した場合には、メンテナンスユニット２２の係止爪４２が装着部２３の掛止孔５２に対して係止されることにより、メンテナンスユニット２２の装着部２３からの脱落が抑制される。
【００７４】
収容部２６の先端面２６ｆにおける上端には、天面２６ｔから先端方向に突出する指掛部４３が突設される。指掛部４３は、メンテナンスユニット２２を装着部２３から取り外す際に、使用者が指先を引っ掛けるためのものである。
【００７５】
一方、装着部２３の前壁２３ｆにおける上端には、切り欠き部５３が形成される。そして、メンテナンスユニット２２を装着部２３に対して装着した場合には、メンテナンスユニット２２の指掛部４３が切り欠き部５３を通じて装着部２３の外側に露出する（図２参照）。
【００７６】
収容部２６の両側面２６ｓにおいて、長手方向の中央よりもやや先端よりの位置であって、上下方向（噴射方向Ｚ）の略中央付近となる位置には、略円柱状をなす係合突起４４が突設される。
【００７７】
一方、装着部２３の両側壁２３ｓの内側部分には、長手方向の中央よりもやや先端よりの位置に、上端から下方に向けて上下方向の中央付近まで延びる案内溝５４が設けられる。案内溝５４において上端の開口の幅は、係合突起４４の直径よりも若干大きく設定されるとともに、その溝幅は下方に向かうに連れて次第に幅狭となることが好ましい。そして、メンテナンスユニット２２を装着部２３に対して装着する際には、メンテナンスユニット２２の係合突起４４が案内溝５４に案内されることで、メンテナンスユニット２２が装着部２３内の適切な位置に収容される。
【００７８】
次に、メンテナンス装置１６のメンテナンス動作であるワイピングについて説明する。
液体噴射装置１１において、印刷のためのノズル１４から規定サイズの液滴を噴射すると、その液滴よりも微小な液滴からなるミストが副次的に生じてしまう。こうしたミストがノズル１４の周辺に付着して徐々に大きくなって液滴となると、この大きくなった液滴が、ノズル１４から噴射される液滴に接触して噴射された液滴の飛翔方向を変化させ、印刷品質を低下させてしまうことがある。
【００７９】
そこで、例えば所定枚数あるいは所定時間の印刷を行った場合には、キャリッジ１８がメンテナンス領域に移動して、メンテナンス装置１６がメンテナンス部材２１を使用したワイピングを行う。具体的には、駆動機構２５の駆動によって、メンテナンスユニット２２が装着された装着部２３が移動方向Ｘに沿って移動することによって、払拭部３１で液体噴射部１５の開口面１５ａを払拭する（図２参照）。
【００８０】
なお、液体噴射装置１１において、キャリッジ１８をメンテナンス領域に移動させて、液体噴射部１５のノズル１４からメンテナンス動作として液体を排出する排出動作を実行した場合、ノズル１４から排出した液体が開口面１５ａに付着してしまうことがある。このような場合にも、メンテナンス装置１６が上述したメンテナンス部材２１を使用したワイピングを行う。
【００８１】
これにより、液体噴射部１５に付着していたミストや、液体の排出動作に伴って開口面１５ａに付着した液体がメンテナンス部材２１によって吸収されるとともに、液体噴射部１５に付着していた紙粉などの異物がメンテナンス部材２１によって拭き取られる。また、液体噴射部１５の払拭が終了すると、繰出ローラー３２及び巻取ローラー３３が回転してメンテナンス部材２１を移動させ、開口部２９から露出する払拭部３１を未使用の部分に変更する。
【００８２】
なお、装着部２３が移動方向Ｘに沿って移動して払拭部３１が液体噴射部１５に接触しているときに、繰出ローラー３２及び巻取ローラー３３が回転してメンテナンス部材２１を移動させるようにすれば、払拭部３１による払拭性能を向上させることができる。
【００８３】
次に、記憶媒体２８が記憶する情報について説明する。
記憶媒体２８は、以下に挙げる情報のうち、少なくとも１つを記憶する。
（１）メンテナンス部材２１を使用して行われたメンテナンスの実行回数に対応する値。
【００８４】
（２）液体噴射部１５のメンテナンスに伴うメンテナンス部材２１の移動量に対応する値。
（３）メンテナンスユニット２２が装着された液体噴射装置に関する情報。
【００８５】
（４）メンテナンスユニット２２が液体噴射装置に装着された日に関する情報。
（５）メンテナンスユニット２２の製造日に関する情報。
（６）メンテナンスユニット２２を装着可能な液体噴射装置に関する情報。
【００８６】
（７）メンテナンス部材２１に含浸される液体に関する情報。
以下に、上記各情報について説明する。
（１）は、メンテナンス部材２１の使用履歴に関する情報であり、例えば、ワイピングを実行した回数の累積値である。あるいは、メンテナンスユニット２２に使用不能になるまでに実行可能なメンテナンスの回数が寿命回数として設定されている場合には、その寿命回数に対する実行回数の割合や、寿命回数までの残り回数などであってもよい。
【００８７】
（２）は、メンテナンス部材２１の使用履歴に関する情報であり、例えば、ワイピングに伴ってメンテナンス部材２１を移動させた回数や繰出ローラー３２または巻取ローラー３３の回転数、所定の測定位置を通過するメンテナンス部材２１の長さなどの累積値である。あるいは、メンテナンス部材２１の全長に対する移動距離の割合や、未使用部分の残り長さ、メンテナンス部材２１の全長に対する未使用部分の残り長さの割合などであってもよい。
【００８８】
（３）は、メンテナンス部材２１の使用履歴に関する情報であり、特に、１つのメンテナンスユニット２２を複数の異なる液体噴射装置の間で使い回す場合に、記憶媒体２８が記憶することが好ましい情報である。そして、記憶媒体２８は、１つのメンテナンスユニット２２が液体噴射装置に装着される都度、その装着された液体噴射装置の種類やその液体噴射装置が噴射する液体の種類を特定する情報を、メンテナンスユニット２２が装着された液体噴射装置に関する情報として記憶する。
【００８９】
（４）は、メンテナンス部材２１の使用履歴に関する情報であり、例えば、メンテナンスユニット２２が液体噴射装置に最初に装着された日であってもよいし、そのメンテナンスユニット２２に使用期限が設定されている場合には、メンテナンスユニット２２が液体噴射装置に最初に装着されてから使用期限までの残り日数であってもよい。
【００９０】
（５）は、メンテナンスユニット２２の製造日であってもよいし、そのメンテナンスユニット２２に使用期限が設定されている場合には、製造日から使用期限までの残り日数であってもよい。
【００９１】
（６）は、特に、メンテナンス部材２１の素材やメンテナンス部材２１に吸収部材であるメンテナンス部材２１に含浸される含浸液の種類等によって、特定の液体噴射部に対して使用することが適切でない場合などに、噴射する液体や含浸液、あるいは液体噴射装置の種類等として記憶媒体２８が記憶することが好ましい。
【００９２】
特に、含浸液は、液体噴射部１５が噴射する液体に適した性質のものが選択されるため、こうした含浸液が別の種類の液体を噴射する液体噴射部１５に付着することは好ましくない。例えば、含浸液の組成は、使用されるインクの組成に合わせて最適設計されるため、組合せが想定されていないインクを使用する液体噴射部１５に、使用歴のあるメンテナンス部材２１を介して相性の悪い含浸液が付着すると、その含浸液に接触したインクから異物が析出することがある。
【００９３】
すると、析出した異物が開口面１５ａに固着して拭き取れなくなったり、析出した異物が付着した状態の開口面１５ａをワイピングすることにより、開口面１５ａの撥水膜を傷つけたりするおそれがある。特に、顔料インクに使用される顔料は、その溶媒の種類（水系であるか有機溶剤系であるか）によってそれぞれ安定して分散するものが用いられているので、異なる種類の溶媒と混合されると、顔料が析出したり固化したりして異物が発生しやすい。
【００９４】
（７）は、（６）で記述したように、メンテナンス部材２１に含浸された含浸液を、特定の液体噴射部１５に対して使用することが適切でない場合に、記憶媒体２８が記憶することが好ましい。また、メンテナンス部材２１に含浸された液体の蒸発のしやすさや性状の変化のしやすさなどに基づいて、メンテナンスユニット２２の使用期限や寿命回数が設定されている場合には、その使用期限までの残り日数や残り回数を記憶媒体２８が記憶するようにしてもよい。
【００９５】
次に、制御部２０よるメンテナンス装置１６の制御について説明する。
制御部２０は、メンテナンスユニット２２が備える記憶媒体２８が記憶した上記各種情報に基づいて、メンテナンス装置１６等の制御を行う。
【００９６】
例えば、メンテナンスユニット２２が装着部２３に装着されると、制御部２０は、接続端子３８に接続された記憶媒体２８から上記（１）〜（７）の情報を読み出す。そして、（４）の装着日や（５）の製造日に対して使用期限が経過していた場合や、装着された液体噴射装置１１の種類等が、（６）の装着可能な液体噴射装置の種類等に該当しなかった場合や、（７）の含浸液に適さない種類等であった場合などには、その旨を表示部５５に表示するなどして、使用者に報知する。
【００９７】
また、制御部２０は、（１），（２）の情報に基づいて、メンテナンスユニット２２の寿命回数までの残り回数やメンテナンス部材２１の未使用部分の残り長さを把握する。そして、寿命回数までの残り回数が０である場合や、メンテナンス部材２１の未使用部分の残り長さが一回分のワイピングに不足する場合などには、表示部５５などを通じてエラー表示をする。
【００９８】
なお、メンテナンス動作の実行後に、寿命回数までの残り回数が０に近くなったり、メンテナンス部材２１の未使用部分の残り長さが残りわずかになったりした場合に、表示部５５などを通じてその旨を警告するようにしてもよい。また、制御部２０は、メンテナンスユニット２２が装着部２３に装着されている間に、その使用期限や寿命回数に到達した場合にも、その旨を表示部５５に表示するなどして、使用者に報知する事が好ましい。
【００９９】
さらに、制御部２０は、接続端子３８に接続された記憶媒体２８に、（３）の情報として、実際に装着された液体噴射装置１１等の情報を書き込む。また、すでに記憶媒体２８に（３）の情報が書き込まれている場合には、その情報を読み出し、その過去に装着された液体噴射装置と現在装着されている液体噴射装置１１とで、上述したように使用している液体や含浸液の相性が悪い場合などには、表示部５５などを通じてエラー表示をする。
【０１００】
制御部２０は、（１）〜（７）の情報に基づいて、次のワイピングを実行可能であると判断した場合には、メンテナンス装置１６によるメンテナンス動作を許容する。そして、メンテナンス装置１６によるワイピングが実行された場合には、その実行回数や使用量を記憶媒体２８に記憶させる。
【０１０１】
次に、以上のように構成された液体噴射装置１１の作用について説明する。
例えば、メンテナンス動作の実行に先だって、制御部２０が記憶媒体２８に記憶された（１）の情報を確認することにより、連続的に実行される印刷処理の間にワイピングを複数回実施する場合などに、その印刷処理の途中にワイピングの寿命回数に達して、印刷処理が途中で中断されてしまう、という事態を回避することが可能になる。
【０１０２】
また、メンテナンス動作の実行に先だって、制御部２０が記憶媒体２８に記憶された（２）の情報を確認することにより、メンテナンス部材２１を移動させながらワイピングを行う場合に、その途中でメンテナンス部材２１の未使用部分がなくなってしまう、という事態を回避することが可能になる。
【０１０３】
さらに、メンテナンス動作の実行後に、寿命回数までの残り回数が０に近くなったり、メンテナンス部材２１の未使用部分の残り長さが残りわずかになったりした場合に、表示部５５などを通じてその旨を警告することにより、適切なタイミングで次に使用するメンテナンスユニット２２を準備することが可能になる。また、例えばメンテナンス部材２１の残量があと少しになったときに、長時間連続する印刷処理を行う際には、残量が多いメンテナンスユニット２２に交換してその印刷を行い、印刷量が少ない別の印刷をするときに、残量が少ないメンテナンスユニット２２を装着して使い切る、といった使用が可能になる。
【０１０４】
また、メンテナンス動作を実行に先だって、制御部２０が記憶媒体２８に記憶された（４），（５）の情報を確認することにより、使用期限の過ぎたメンテナンス部材２１を用いてワイピングを行うことにより、液体噴射部１５の払拭が適切に行われない、という事態を回避することが可能になる。
【０１０５】
また、メンテナンス動作を実行に先だって、制御部２０が記憶媒体２８に記憶された（３），（６），（７）の情報を確認することにより、液体噴射部１５に、その液体噴射部１５に適さない噴射用の液体や含浸液が付着して、ノズル１４からの液体の噴射特性に悪影響を与えてしまう、という事態を回避することが可能になる。
【０１０６】
上記実施形態によれば、以下のような効果を得ることができる。
（１）メンテナンスユニット２２が備える記憶媒体２８がメンテナンス部材２１に関する情報を記憶するため、記憶媒体２８が記憶する情報に基づいて、液体噴射部１５のメンテナンスに使用されるメンテナンス部材２１の管理を適切に行うことができる。
【０１０７】
（２）記憶媒体２８が記憶するメンテナンスの実行回数に対応する値に基づいてメンテナンス部材２１の使用量を把握することにより、メンテナンス部材２１の残量を管理しつつ、液体噴射部１５のメンテナンスを適切に実行することができる。
【０１０８】
（３）記憶媒体２８が記憶するメンテナンス部材２１の移動量に対応する値に基づいてメンテナンス部材２１の使用量を把握することにより、例えばメンテナンスユニット２２が使用の途中で異なる液体噴射装置１１に装着されなおしたとしても、メンテナンス部材２１の使用量を積算して、メンテナンス部材２１の残量を正確に管理することができる。
【０１０９】
（４）メンテナンスユニット２２が装着された液体噴射装置に関する情報を記憶媒体２８が記憶することにより、例えばメンテナンスユニット２２が使用の途中で異なる液体噴射装置に装着されなおしたとしても、メンテナンスユニット２２が装着されたことのある液体噴射装置を把握することができる。
【０１１０】
（５）メンテナンスユニット２２が液体噴射装置に装着された日に関する情報を記憶媒体２８が記憶することにより、メンテナンス部材２１に使用期限がある場合などに、その使用期限を管理しつつ、液体噴射部１５のメンテナンスを適切に実行することができる。
【０１１１】
（６）メンテナンスユニット２２の製造日に関する情報を記憶媒体２８が記憶することにより、メンテナンス部材２１に使用期限がある場合などに、その使用期限を管理しつつ、液体噴射部１５のメンテナンスを適切に実行することができる。
【０１１２】
（７）ある液体噴射部１５に対して使用することが適切なメンテナンス部材２１と不適切なメンテナンス部材２１とがある場合などに、記憶媒体２８が記憶したメンテナンスユニット２２を装着可能な液体噴射装置に関する情報を参照することにより、不適切なメンテナンス部材２１による液体噴射部１５のメンテナンスの実行を回避することができる。
【０１１３】
（８）ある液体噴射部１５に対して使用することが適切な含浸液と不適切な含浸液とがある場合などに、記憶媒体２８が記憶したメンテナンス部材２１に含浸される液体に関する情報を参照することにより、不適切な液体が含浸されたメンテナンス部材２１による液体噴射部１５のメンテナンスの実行を回避することができる。
【０１１４】
なお、上記実施形態は以下に示す変形例のように変更してもよい。
・液体噴射部１５のメンテナンスに使用されるメンテナンス部材２１に予めメンテナンスのための液体を含浸させず、メンテナンス部材２１を使用してワイピングを行う前に、メンテナンスユニット２２に別途設けられたメンテナンスのための液体の供給部からメンテナンス部材２１に液体を供給して含浸させてもよい。
【０１１５】
・図５に示す変更例のように、液体噴射部１５のメンテナンス動作として、ワイピングに加えて、キャッピングやフラッシングを実行可能なメンテナンスユニット２２Ｂを装着部２３Ｂに装着するようにしてもよい。すなわち、メンテナンスユニット２２Ｂは、払拭部３１と移動方向Ｘに並ぶ位置にキャップ４５を有し、このキャップ４５がノズル１４を囲むように液体噴射部１５に接触することにより、液体噴射部１５のノズル１４が開口する空間を閉空間とするキャッピングを行う。これにより、ノズル１４の乾燥を抑制することができる。
【０１１６】
また、メンテナンスユニット２２Ｂの収容部２６は、ノズル１４から噴射される液滴を受容可能な大きさの開口部２９を有し、この開口部２９に向けて液体噴射部１５が液滴を噴射することで、ノズル１４内の異物を排出するフラッシングを行う。なお、フラッシングに伴って噴射された液体は、例えば図５に矢印で示す一方向に移動されるメンテナンス部材２１Ｂの、払拭部３１よりも移動方向の下流の部分（ワイピングに使用した部分）で受容することができる。
【０１１７】
・図５に示す変更例のように、メンテナンス部材２１Ｂは無端状であってもよい。この場合には、この無端状のメンテナンス部材２１Ｂをベルトローラー４６，４７に巻き掛ければ、ベルトローラー４６，４７の回転に伴ってメンテナンス部材２１Ｂを移動させることができる。
【０１１８】
また、メンテナンスユニット２２Ｂの収容部２６内に、メンテナンス部材２１Ｂの一部が浸かるように液体を収容してもよい。この場合には、メンテナンス部材２１Ｂが液体に接触する都度、受容した液体に含まれる顔料や異物など液体で洗われるので、メンテナンス部材２１Ｂを繰り返し再利用することができる。なお、この構成を採用する場合には、収容部２６に貯留される液体の蒸発のしやすさや性状の変化のしやすさなどに基づいて、メンテナンスユニット２２Ｂの使用期限や寿命回数などを設定することが好ましい。
【０１１９】
・図５に示す変更例のように、装着部２３Ｂが移動しない構成としてもよい。この場合にも、例えば開口部２９から突出するように配置される巻掛ローラー３６を移動方向Ｘに延びるガイド孔４８に沿って移動させることにより、メンテナンス領域に停止した液体噴射部１５の払拭を行うことができる。あるいは、巻掛ローラー３６が移動する代わりに、払拭部３１に対して液体噴射部１５が移動方向Ｘに沿って移動することによって、液体噴射部１５の払拭を行うことができる。
【０１２０】
・図５に示す変更例のように、装着部２３Ｂは、メンテナンスユニット２２Ｂの全体を収容可能な大きさ（高さ）を備えなくてもよい。
・図５に示す変更例のように、装着部２３Ｂが非接触でデータの送受信を行う通信部４９を有し、メンテナンスユニット２２Ｂが有する記憶媒体２８に対して接触することなく、データの読み出し及び書き込みを行うようにしてもよい。
【０１２１】
・図５に示す変更例のように、キャリッジ１８に液体収容体１９を装着せず、筐体部１２の内部または外部に配置された液体収容体から図示しない液体チューブを通じて液体噴射部１５に液体を供給するようにしてもよい。すなわち、液体噴射部１５に供給される液体を収容する液体収容体１９は、キャリッジ１８上に着脱可能に装着されるいわゆるオンキャリッジタイプに限らず、筐体部１２内においてキャリッジ１８以外の所定箇所に固定されるいわゆるオフキャリッジタイプであってもよい。
【０１２２】
・装着部２３が搬送方向Ｙに沿って移動することによって、払拭部３１が液体噴射部１５を払拭するようにしてもよい。
・使用者に対する報知は、表示部５５への情報の表示の他、例えばブザー音や音声案内などによって行うこともできるし、表示灯を点灯、点滅あるいは消灯させることによって行うこともできる。
【０１２３】
・メンテナンスユニット２２の寿命回数までの残り回数、メンテナンス部材２１の未使用部分の残り長さ、あるいは使用期限までの残り日数などを、表示部５５に表示するようにしてもよい。この構成によれば、使用者は、その残り回数等を参照して、次に使用する交換用のメンテナンスユニット２２を適切なタイミングで用意することができる。
【０１２４】
・液体噴射部１５が噴射する液体はインクに限らず、例えば機能材料の粒子が液体に分散又は混合されてなる液状体などであってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う構成にしてもよい。
【０１２５】
・キャリッジ１８を備えず、媒体Ｓの幅全体と対応した長尺状の固定された液体噴射部１５を備える、いわゆるフルラインタイプの液体噴射装置に変更してもよい。この場合の液体噴射部１５は、ノズル１４が形成された複数の単位ヘッド部を並列配置することによって印刷範囲が媒体Ｓの幅全体に亘るようにしてもよいし、単一の長尺ヘッドに媒体Ｓの幅全体に亘るように多数のノズル１４を配置することによって、印刷範囲が媒体Ｓの幅全体に亘るようにしてもよい。
【０１２６】
・液体収容体１９は、剛性を有するケースの中に、液体を収容した可撓性を有するパックが収容された構成としてもよいし、剛性を有するケースの中に直接液体を収容する構成としてもよい。
【０１２７】
・液体収容体１９に液体を注入可能な注入口を設けて、この注入口を通じて液体を注入したり補充したりすることができるようにしてもよい。この構成によれば、液体収容体１９を着脱することなく液体を補充することができる。
【０１２８】
・媒体は用紙に限らず、プラスチックフィルムや薄い板材などでもよいし、捺染装置などに用いられる布帛であってもよい。
【符号の説明】
【０１２９】
１１…液体噴射装置、１５…液体噴射部、２０…制御部、２１，２１Ｂ…メンテナンス部材、２２，２２Ｂ…メンテナンスユニット、２３，２３Ｂ…装着部、２６…収容部、２７…保持部、２８…記憶媒体。
【図１】
0006439390.tif 000005
【図２】
0006439390.tif 000006
【図３】
0006439390.tif 000007
【図４】
0006439390.tif 000008
【図５】
0006439390.tif 000009